(57)【要約】【課題】  高圧洗浄機を用いた高圧洗浄による従来の放射能除染方法では、建築物の外表面に付着した放射性物質を除去しきれない。【解決手段】  コロニアル２の表面を吸塵式サンダー３を用いて研削する研削工程を行う。吸塵式サンダー３は、研削粉を吸塵バッグ６に吸い取って集塵する機能を有する。次に、研削されたコロニアル２の表面に残留する放射性物質の量を計測する計測工程を行う。引き続いて、計測された放射性物質の量を国が定めたレベルに相当する所定値と比較する比較工程を行う。比較工程での比較結果、計測された放射性物質の量が国が定めたレベルよりも高い場合には、研削工程および比較工程を繰り返して実施する再実施工程を行う。一方、比較工程での比較結果、計測された放射性物質の量が国が定めたレベルよりも低い場合には、研削されたコロニアル２の表面に親水性塗料を塗布する塗装工程を行う。【選択図】  図１
2013096959.tif 000002
【特許請求の範囲】
【請求項１】
研削粉を吸い取って集塵する機能を有する吸塵式サンダーを用いて建築物の外表面を研削する研削工程と、
前記研削工程で研削された前記建築物の外表面に残留する放射性物質の量を計測する計測工程と、
前記計測工程で計測された前記放射性物質の量を所定値と比較する比較工程と、
前記比較工程での比較結果、前記計測工程で計測された前記放射性物質の量が所定値よりも高い場合には、前記研削工程および前記比較工程を繰り返して実施する再実施工程と
を備えて、放射性物質で汚染された建築物の外表面を除染する放射能除染方法。
【請求項２】
前記比較工程での比較結果、前記計測工程で計測された前記放射性物質の量が所定値よりも低い場合には、前記研削工程で研削された前記建築物の外表面に親水性塗料を塗布する塗装工程を備えることを特徴とする請求項１に記載の放射能除染方法。
【請求項３】
前記研削工程において前記吸塵式サンダーによって集塵された研削粉を糊で固める固化工程を備えることを特徴とする請求項１または請求項２に記載の放射能除染方法。
【発明の詳細な説明】
【技術分野】
【０００１】
本発明は、放射性物質で汚染された建築物の外表面を除染する放射能除染方法に関するものである。
【背景技術】
【０００２】
従来、放射性物質で汚染された建築物の屋根などの外表面を除染する放射能除染方法としては、非特許文献１に開示されるような、高圧洗浄機を使って除染する方法がある。この放射能除染方法では、高圧洗浄機から高い水圧の水が家屋の屋根に放出され、放出される水の勢いで屋根に付着した放射性物質が洗い流される。
【先行技術文献】
【非特許文献】
【０００３】
【非特許文献１】毎日新聞社発行  雑誌「サンデー毎日」  ２０１１年１０月２３日号  １３２〜１３４頁
【発明の概要】
【発明が解決しようとする課題】
【０００４】
しかしながら、放射能で汚染された建築物の屋根や外装等の外表面に塗装された塗料の塗膜や、外表面に露出する建築素材、外表面に生えた苔などには、放射性物質が浸透あるいは結合している。このため、高圧洗浄機を用いた高圧洗浄による従来の放射能除染方法では、建築物の外表面に付着した放射性物質を除去しきれない。
【０００５】
また、同文献に開示されているように、高圧洗浄機を用いた放射能除染では、洗い流した水が燐家の敷地に流れ込んだり、周囲に飛散してしまう。このため、高圧洗浄機を用いた従来の放射能除染方法は、汚染源を別の場所に移動させるだけであり、また、洗い流した大量の水の処理方法が確立しておらず、実用に供し得ない。
【課題を解決するための手段】
【０００６】
本発明はこのような課題を解決するためになされたもので、
研削粉を吸い取って集塵する機能を有する吸塵式サンダーを用いて建築物の外表面を研削する研削工程と、
研削工程で研削された建築物の外表面に残留する放射性物質の量を計測する計測工程と、
計測工程で計測された放射性物質の量を所定値と比較する比較工程と、
比較工程での比較結果、計測工程で計測された放射性物質の量が所定値よりも高い場合には、研削工程および比較工程を繰り返して実施する再実施工程と
を備えて、放射性物質で汚染された建築物の外表面を除染する放射能除染方法を構成した。
【０００７】
本構成によれば、建築物の外表面に塗装された塗料の塗膜や、外表面に露出する建築素材、外表面に生えた苔などに浸透あるいは結合している放射性物質は、研削工程における吸塵式サンダーによる研削によって確実に除去され、しかも、除去された研削粉は吸塵式サンダーによって集塵されて周囲に飛散することは無い。また、その除去の程度は、計測工程における、建築物の外表面に残留する放射性物質の計測結果に応じて、研削工程および比較工程を繰り返して実施する再実施工程が適宜繰り返されることで、適宜決定される。このため、建築物の外表面が削られ過ぎることは無く、必要で十分な厚さ分だけ、建築物の外表面が研削される。この結果、実用に十分供し得る、放射性物質で汚染された建築物の外表面を除染する放射能除染方法が提供される。
【０００８】
また、本発明は、比較工程での比較結果、計測工程で計測された放射性物質の量が所定値よりも低い場合には、研削工程で研削された建築物の外表面に親水性塗料を塗布する塗装工程を備えることを特徴とする。
【０００９】
本構成によれば、塗装工程において、研削工程で研削された建築物の外表面に親水性塗料が塗布されることで、建築物の外表面に水分が滞り難くなり、建築物の外表面が放射性物質で再汚染され難くなる。また、建築物の外表面に微量残存する可能性のある放射性物質を親水性塗料で封じ込めることが出来る。
【００１０】
また、本発明は、研削工程において吸塵式サンダーによって集塵された研削粉を糊で固める固化工程を備えることを特徴とする。
【００１１】
本構成によれば、固化工程において、吸塵式サンダーによって集塵された研削粉が糊で固められることで、研削粉の体積が圧縮される。このため、放射能汚染物質を小さな塊にすることが出来るので、除去した放射能汚染物質の取り扱いが容易になり、放射能汚染物質の一時保管所へ容易に運搬することが可能となって、放射能除染作業の作業性が向上する。
【発明の効果】
【００１２】
本発明によれば、上記のように、実用に十分供し得る、放射性物質で汚染された建築物の外表面を除染する放射能除染方法を提供することが可能となる。
【図面の簡単な説明】
【００１３】
【図１】本発明の一実施の形態による放射能除染方法が施される家屋の屋根の断面図である。
【図２】本発明の一実施の形態による放射能除染方法が施された後の家屋の屋根の断面図である。
【発明を実施するための形態】
【００１４】
次に、本発明の一実施の形態による放射能除染方法を家屋の屋根の除染に適用した場合について、説明する。
【００１５】
図１は、本実施の形態による放射能除染方法が施される家屋の屋根１の断面図である。
【００１６】
建築物である家屋の屋根１には複数のコロニアル２が敷かれており、コロニアル２は建築物の天部外表面に位置している。原子力発電所の事故で大気中に飛散した放射性物質は家屋の屋根１に飛来し、屋根１に敷設されたコロニアル２の表面にセシウム等が浸透あるいは結合する。
【００１７】
本実施の形態の放射能除染方法では、まず、コロニアル２の表面をガイガーカウンター等の放射線量計量器で計測する。国が定めたレベル以上の放射線量が放射線量計量器で計測され、コロニアル２の表面が放射能で汚染されていることが確認された場合、次に、コロニアル２の表面を研削する研削工程を行う。この研削は、吸塵式サンダー３を用いて行う。吸塵式サンダー３は、スコッチ・ブライト（住友スリーエム株式会社の登録商標）等のナイロンたわし４が回転自在に装着されており、このナイロンたわし４をコロニアル２の表面に押し付けて回転させることで、コロニアル２の表面の放射能汚染層２ａが研削される。なお、ナイロンたわし４に代えて、スポンジパッドに研磨紙を糊付けしたものを使用するようにしてもよい。
【００１８】
吸塵式サンダー３は、この研削で生じる研削粉を吸い取って集塵する機能を有し、集塵した研削粉はホース５を経由して吸塵バッグ６に収納される。吸塵バッグ６は作業者の腰に装着されたり、または、屋根１や地上などに載置される。地上に載置される場合は、吸塵バッグ６に代えて、大量の研削粉を収納可能な図示しない吸塵ボックスを用いてもよい。なお、この研削工程は、研削粉の大気中への飛散および作業員による研削粉の吸引を効果的に防ぐため、コロニアル２の表面に予め散水してコロニアル２の表面を湿らせ、粉塵の舞い上がりを防止してから行うことが好ましい。
【００１９】
次に、計測工程を行う。この計測工程では、上記の研削工程で研削されたコロニアル２の表面に残留する放射性物質の量を計測する。引き続いて、比較工程を行う。この比較工程では、計測工程で計測された放射性物質の量を、国が定めたレベルに相当する所定値と比較する。次に、比較工程での比較結果に応じて、再実施工程または塗装工程を行う。
【００２０】
比較工程での比較結果、計測工程で計測された放射性物質の量が国が定めたレベルよりも高い場合には、再実施工程を行う。この再実施工程では、上述した研削工程および比較工程を繰り返して実施する。一方、比較工程での比較結果、計測工程で計測された放射性物質の量が国が定めたレベルよりも低く、規定の濃度に放射能が下がっている場合には、塗装工程を行う。この塗装工程では、研削工程で研削されたコロニアル２の表面を清掃後、コロニアル２の表面に親水性塗料を塗布する。親水性塗料には、例えば、関西ペイント株式会社製の商品名「セラレタン」や、「セラフッ素」などの塗料を用いる。この塗布工程により、コロニアル２の表面には、図２に示す放射能除染後における屋根１の断面図のように、親水性塗膜７が形成される。なお、同図において図１と同一または相当する部分には同一符号を付してその説明は省略する。
【００２１】
また、本実施の形態による放射能除染方法では、固化工程を行う。この固化工程では、研削工程において吸塵式サンダー３によって吸塵バッグ６に集塵された研削粉に糊を混入し、研削粉を糊で固める。この糊には、アルファ澱粉などのでんぷん糊や、洗濯糊などとして販売されているＰＶＡ液などが用いられる。その後、糊で固めた研削粉を、放射能汚染物質を一時保管する保管場所へ運搬し、保管する。
【００２２】
上記の本実施形態による放射能除染方法によれば、家屋の外表面に塗装された塗料の塗膜や、外表面に露出する建築素材、外表面に生えた苔などに浸透あるいは結合している放射性物質は、研削工程における吸塵式サンダー３による研削によって確実に除去される。しかも、除去された研削粉は吸塵式サンダー３によって集塵されて吸塵バッグ６に収納され、周囲に飛散することは無い。また、その除去の程度は、計測工程における、家屋の外表面に残留する放射性物質の計測結果に応じて、研削工程および比較工程を繰り返して実施する再実施工程が適宜繰り返されることで、適宜決定される。このため、コロニアル２の表面といった家屋の外表面が削られ過ぎることは無く、必要で十分な厚さ分だけ、家屋の外表面が研削される。この結果、実用に十分供し得る、放射性物質で汚染された家屋の外表面を除染する放射能除染方法が提供される。
【００２３】
また、本実施形態による放射能除染方法によれば、塗装工程において、研削工程で研削された家屋の外表面に親水性塗料が塗布され、親水性塗膜７が形成されることで、コロニアル２の表面といった家屋の外表面に水滴８（図２参照）が滞り難くなり、家屋の外表面が放射性物質で再汚染され難くなる。つまり、放射能除染後に降る雨の水滴８がコロニアル２の表面を流れ易くなり、汚れが付きにくくなって、放射性物質がコロニアル２の表面に追加付着し難くなる。また、家屋の外表面に微量残存する可能性のある放射性物質を親水性塗膜７で封じ込めることが出来る。
【００２４】
また、本実施形態による放射能除染方法によれば、固化工程において、吸塵式サンダー３によって吸塵バッグ６に集塵された研削粉が糊で固められることで、研削粉の体積が４０〜５０[％]程度圧縮される。このため、放射能汚染物質を小さな塊にすることが出来るので、除去した放射能汚染物質の取り扱いが容易になり、放射能汚染物質の一時保管所へ容易に運搬することが可能となって、放射能除染作業の作業性が向上する。
【００２５】
なお、上記の実施の形態では、吸塵式サンダー３によってコロニアル２の表面を研削する研削工程が終わった後に、放射線量計量器で放射線量の計測を行う計測工程を行う場合について説明したが、研削工程を行いながら計測工程を行うようにしてもよい。
【産業上の利用可能性】
【００２６】
上記の実施の形態では、家屋の屋根１にコロニアル２が敷設されている場合について説明したが、家屋の屋根１に瓦やトタンが敷設されている場合においても、本発明による放射能除染方法を同様に適用することが出来る。また、家屋の屋根１に限らず、外壁等の外装にも、本発明による放射能除染方法を同様に適用することが出来る。そして、これらの場合においても、上記実施の形態と同様な作用効果が奏される。
【符号の説明】
【００２７】
１…屋根
２…コロニアル
２ａ…放射能汚染層
３…吸塵式サンダー
４…ナイロンたわし
５…ホース
６…吸塵バッグ
７…親水性塗膜
８…水滴
【図１】
2013096959.tif 000003
【図２】
2013096959.tif 000004